【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
（Ａ）ポリオールと、過剰量のポリイソシアネート化合物を反応させて得られる末端イソシアネート基含有ウレタンプレポリマーと、
（Ｂ）微粉体コーティングアミンと、
（Ｃ）粘着付与剤と
を含んでなる、一液無溶剤ウレタン系粘着剤組成物。
【請求項２】
ポリオールは、ポリプロピレングリコールを含んでなる、請求項１に記載の粘着剤組成物。
【請求項３】
ポリオールは、ロジンジオールを含んでなる、請求項１または２に記載の粘着剤組成物。
【請求項４】
ポリオールは、４官能以上の多官能ポリオールを含んでなる、請求項１〜３のいずれかに記載の粘着剤組成物。
【請求項５】
ポリイソシアネート化合物は、イソホロンジイソシアネートを含んでなる、請求項１〜４のいずれかに記載の粘着剤組成物。
【請求項６】
ポリイソシアネート化合物は、３官能以上の多官能ポリイソシアネートを含んでなる、請求項１〜５のいずれかに記載の粘着剤組成物。
【請求項７】
末端イソシアネート基含有ウレタンプレポリマー（Ａ）は、ポリオールと、過剰量のポリイソシアネート化合物と、モノオールとを反応させて得られる、請求項１〜６のいずれかに記載の粘着剤組成物。
【請求項８】
粘着付与剤は、ロジン系粘着付与剤、クマロン−インデン系粘着付与剤、テルペン系粘着付与剤、石油系粘着付与剤、スチレン系粘着付与剤、フェノール系粘着付与剤およびナフテンオイル系粘着付与剤からなる群から選択される、請求項１〜７のいずれかに記載の粘着剤組成物。
【請求項９】
粘着付与剤は、ロジンエステルである、請求項８に記載の粘着剤組成物。
【請求項１０】
さらに、（Ｄ）反応性単官能化合物を含んでなる、請求項１〜９のいずれかに記載の粘着剤組成物。
【請求項１１】
（１）請求項１〜１０のいずれかに記載の粘着剤組成物を被着面に付与する工程と、
（２）必要により、被着面に付与された粘着剤組成物の厚みを調整する工程と、
（３）被着面に付与された粘着剤組成物を硬化する工程と
を含む、粘着体の製造方法。
【手続補正２】
【補正対象書類名】明細書
【補正対象項目名】０００５
【補正方法】変更
【補正の内容】
【０００５】
本発明者らは、（Ａ）ポリオールと、過剰量のポリイソシアネート化合物を反応させて得られる末端イソシアネート基含有ウレタンプレポリマーと、（Ｂ）微粉体コーティングアミンと、（Ｃ）粘着付与剤とを含んでなる一液無溶剤ウレタン系粘着剤組成物によれば、上記課題を解決できることを見出し、本発明を完成させるに至った。
すなわち、本発明には、以下のものが含まれる。
〔１〕  （Ａ）ポリオールと、過剰量のポリイソシアネート化合物を反応させて得られる末端イソシアネート基含有ウレタンプレポリマーと、
（Ｂ）微粉体コーティングアミンと、
（Ｃ）粘着付与剤と
を含んでなる、一液無溶剤ウレタン系粘着剤組成物。
〔２〕  ポリオールは、ポリプロピレングリコールを含んでなる、上記〔１〕に記載の粘着剤組成物。
〔３〕  ポリオールは、ロジンジオールを含んでなる、上記〔１〕または〔２〕に記載の粘着剤組成物。
〔４〕  ポリオールは、４官能以上の多官能ポリオールを含んでなる、上記〔１〕〜〔３〕のいずれかに記載の粘着剤組成物。
〔５〕  ポリイソシアネート化合物は、イソホロンジイソシアネートを含んでなる、上記〔１〕〜〔４〕のいずれかに記載の粘着剤組成物。
〔６〕  ポリイソシアネート化合物は、３官能以上の多官能ポリイソシアネートを含んでなる、上記〔１〕〜〔５〕のいずれかに記載の粘着剤組成物。
〔７〕  末端イソシアネート基含有ウレタンプレポリマー（Ａ）は、ポリオールと、過剰量のポリイソシアネート化合物と、モノオールとを反応させて得られる、上記〔１〕〜〔６〕のいずれかに記載の粘着剤組成物。
〔８〕  粘着付与剤は、ロジン系粘着付与剤、クマロン−インデン系粘着付与剤、テルペン系粘着付与剤、石油系粘着付与剤、スチレン系粘着付与剤、フェノール系粘着付与剤およびナフテンオイル系粘着付与剤からなる群から選択される、上記〔１〕〜〔７〕のいずれかに記載の粘着剤組成物。
〔９〕  粘着付与剤は、ロジンエステルである、上記〔８〕に記載の粘着剤組成物。
〔１０〕  さらに、（Ｄ）反応性単官能化合物を含んでなる、上記〔１〕〜〔９〕のいずれかに記載の粘着剤組成物。
〔１１〕  （１）上記〔１〕〜〔１０〕のいずれかに記載の粘着剤組成物を被着面に付与する工程と、
（２）必要により、被着面に付与された粘着剤組成物の厚みを調整する工程と、
（３）被着面に付与された粘着剤組成物を硬化する工程と
を含む、粘着体の製造方法。
【手続補正３】
【補正対象書類名】明細書
【補正対象項目名】００１４
【補正方法】変更
【補正の内容】
【００１４】
本発明の粘着剤組成物における成分（Ａ）の末端ＮＣＯプレポリマーは、必要に応じて、ポリオールと、過剰量のポリイソシアネート化合物と、モノオールを反応させて得ることができる。この場合、本発明の粘着剤組成物から得られる粘着体の粘着力（ピール）は、より優れたものになる。
上記モノオールとしては、例えば、ポリオキシアルキレン系モノオール、ポリエステルモノオール、ポリエーテル・エステルモノオール、高級飽和モノオール、エチレン性不飽和二重結合を有するモノオール等が挙げられる。これらの１種または２種以上の混合物を使用してもよい。
ポリオキシアルキレン系モノオールとしては、例えば、活性水素を１個含有するアルキル化合物等を開始剤として、エチレンオキサイド、プロピレンオキサイド、ブチレンオキサイド、テトラヒドロフラン等のアルキレンオキサイドを開環付加重合させた、分子内に水酸基を１個含有する高分子量のポリオキシアルキレン系モノオールが挙げられる。
ポリエステルモノオールとしては、既知のポリエステルポリオールの末端水酸基のアルキル化変性物、モノヒドロキシ化合物を開始剤として環状ラクトン化合物を開環付加共重合反応或いはエステル化反応させて得られるラクトン系ポリエステルモノオール、多価アルコールと飽和脂肪酸、または（メタ）アクリル酸、桂皮酸あるいは炭素数１０以上の高級不飽和脂肪酸であるオレイン酸、リノール酸、リノレン酸等のエチレン性不飽和二重結合を有するカルボン酸とから得られるエステルモノオール等が挙げられる。
ポリエーテル・エステルモノオールとしては、脂肪酸エステルモノオールに前記（モノ）アルキレンオキサイドを付加重合させた、ポリオキシアルキレン脂肪酸エステルモノオール等が挙げられる。
高級飽和モノオールとしては、ラウリルアルコール、ミリスチルアルコール、セチルアルコール、ステアリルアルコール等の炭素数１０以上の直鎖状一価高級飽和アルコール等が挙げられる。
エチレン性不飽和二重結合を有するモノオールとしては、オレイルアルコール、リノレイルアルコール、リノレニルアリコール等の炭素数１０以上の直鎖状一価高級不飽和アルコール、アリルアルコール等が挙げられる。
なかでも、汎用性、安全性の点から、ポリオキシアルキレン系モノオール、特にポリオキシプロピレンアルキルエーテルが好ましい。
上記モノオールがポリマーである場合、その数平均分子量は、通常、１００〜１０，０００であり、汎用性、ハンドリングの点から、好適には５００〜１０，０００である。
上記モノオールの市販品の例としては、例えば、ＰＭＬ−Ｓ１００４Ｆ（旭硝子（株））等が挙げられる。
また、この場合のモノオールの使用量は、硬化後の性能の点から、ポリオール全量に対して好適には５〜５０重量％、より好適には５〜３０重量％である。
【手続補正４】
【補正対象書類名】明細書
【補正対象項目名】００２１
【補正方法】変更
【補正の内容】
【００２１】
本発明の粘着剤組成物における成分（Ｃ）の「粘着付与剤」としては、本発明の粘着剤組成物に粘着性を付与することがきるものか、その粘着性を向上させることができるものであれば特に限定されないが、例えば、ロジン系粘着付与剤、クマロン−インデン系粘着付与剤、テルペン系粘着付与剤、石油系粘着付与剤、スチレン系粘着付与剤、フェノール系粘着付与剤、ナフテンオイル系粘着付与剤等が挙げられる。なかでも、ウレタンプレポリマーとの相溶性の点から、ロジン系粘着付与剤、特にロジンエステル（例えば、荒川化学工業（株）製のロジンエステル、ベンゼルＡ、ＡＺ、Ｃ、Ｄシリーズ等）が好ましい。
本発明の粘着剤組成物中における粘着付与剤（Ｃ）の含有量は、硬化後の物性と性能のバランスの点から、粘着剤組成物全量の１０〜６０重量％であることが好ましく、１０〜５０重量％であることがより好ましい。